(57)【要約】      （修正有）【課題】複数の情報処理装置を表示装置に接続し、表示装置に画像を表示させる表示システムにおいて、表示装置に表示させる画像を好適に切り替え可能な表示システムを提供する。【解決手段】第１表示装置１及び第２表示装置２は、第１表示モードでは、第１情報処理装置３から出力される画像である第１画像を第１表示装置１及び第２表示装置２にまたがって表示させ、第２表示モードでは、第２情報処理装置４から出力される画像である第２画像を第１表示装置１及び第２表示装置２にまたがって表示させ、第１表示装置１及び第２表示装置２の少なくとも一方に存在する切替領域ＳＲにポインティング位置ＰＰが到達したことを検出する検出部３４と、第１表示モードのときに前記検出部３４により前記ポインティング位置ＰＰが検出された場合、第１表示モードから第２表示モードに切り替える表示切替部３３と、を備える表示システムを提供する。【選択図】図４
2019174623.tif 000002
【特許請求の範囲】
【請求項１】
第１情報処理装置、第２情報処理装置、第１表示装置、第２表示装置を備え、
第１表示装置及び第２表示装置は、第１表示モード及び第２表示モードに切り替え可能に構成され、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
第１表示装置及び第２表示装置の少なくとも一方に存在する切替領域にポインティング位置が到達したことを検出する検出部と、
第１表示モードのときに前記検出部により前記ポインティング位置が検出された場合、第１表示モードから第２表示モードに切り替える表示切替部と、
を備える表示システム。
【請求項２】
前記切替領域は、第１表示装置及び第２表示装置の配置方向に直交する方向における第１表示装置又は第２表示装置の端部に存在する、
請求項１に記載の表示システム。
【請求項３】
前記切替領域は、第１表示装置に存在する第１切替領域と、第２表示装置に存在する第２切替領域との少なくとも一方を備え、
前記検出部により、前記ポインティング位置が第１切替領域に到達したことが検出された場合、前記表示切替部は、第１表示モードから第２表示モードに切り替える、
請求項１又は請求項２に記載の表示システム。
【請求項４】
前記切替領域は、第１表示装置に存在する第１切替領域と、第２表示装置に存在する第２切替領域との少なくとも一方を備え、
前記検出部により、前記ポインティング位置が第１切替領域に到達したことが検出された場合、前記表示切替部は、第２表示モードから第１表示モードに切り替える、
請求項１又は請求項２に記載の表示システム。
【請求項５】
前記表示切替部は、第１表示装置及び第２表示装置に表示されている画像が第１画像であるか第２画像であるかについて、第１表示装置及び第２表示装置の少なくとも一方に表示する、
請求項１〜請求項４の何れか１つに記載の表示システム。
【請求項６】
第１表示装置又は第２表示装置は、電子カルテを表示可能に構成される、
請求項１〜請求項５の何れか１つに記載の表示システム。
【請求項７】
コンピュータを、第１情報処理装置、第２情報処理装置、第１表示装置、第２表示装置を備える表示システムを制御する制御部として機能させるプログラムであって、
第１表示装置及び第２表示装置は、第１表示モード及び第２表示モードに切り替え可能に構成され、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
前記コンピュータを、
第１表示装置及び第２表示装置の少なくとも一方に存在する切替領域にポインティング位置が到達したことを検出する検出部と、
第１表示モードのときに前記検出部により前記ポインティング位置が検出された場合、第１表示モードから第２表示モードに切り替える表示切替部と、
して機能させるプログラム。
【発明の詳細な説明】
【技術分野】
【０００１】
本発明は、複数の表示装置と複数の情報処理装置を組み合わせた表示システムに関する。
【背景技術】
【０００２】
複数の情報処理装置を表示装置に接続し、表示装置に画像を表示させる表示システムが知られている。例えば、病院では、複数の情報処理装置を複数の表示装置に接続し、状況に応じて表示装置に表示させる画像を一の情報処理装置から他の情報処理装置に切り替えることが行われている。これは、例えば、一の情報処理装置は病院Ｘのサーバに接続可能に構成され、他の情報処理装置は病院Ｙのサーバに接続される場合に、医師が病院Ｘと病院Ｙのサーバに格納された画像を比較したいときに実行されるものである。
【０００３】
特許文献１には、複数のワークステーションの切り替えで、機械的スイッチやキーボードによる操作に加えて、マウスの操作のみで切り替え可能なワークステーション切替装置が開示されている。
【先行技術文献】
【特許文献】
【０００４】
【特許文献１】特開２００２−１８９５４２号公報
【発明の概要】
【発明が解決しようとする課題】
【０００５】
本発明は、複数の情報処理装置を表示装置に接続し、表示装置に画像を表示させる表示システムにおいて、表示装置に表示させる画像を好適に切り替え可能な表示システムを提供するものである。
【課題を解決するための手段】
【０００６】
以下、本発明の種々の実施形態を例示する。以下に示す実施形態は互いに組み合わせ可能である。
【０００７】
本発明によれば、第１情報処理装置、第２情報処理装置、第１表示装置、第２表示装置を備え、第１表示装置及び第２表示装置は、第１表示モード及び第２表示モードに切り替え可能に構成され、第１表示モードでは、第１情報処理装置から出力される画像である第１画像を第１表示装置及び第２表示装置にまたがって表示させ、第２表示モードでは、第２情報処理装置から出力される画像である第２画像を第１表示装置及び第２表示装置にまたがって表示させ、第１表示装置及び第２表示装置の少なくとも一方に存在する切替領域にポインティング位置が到達したことを検出する検出部と、第１表示モードのときに前記検出部により前記ポインティング位置が検出された場合、第１表示モードから第２表示モードに切り替える表示切替部と、を備える表示システムが提供される。
【０００８】
本発明によれば、第１情報処理装置、第２情報処理装置、第１表示装置、第２表示装置を備える表示システムが提供される。第１表示装置及び第２表示装置は、第１表示モード及び第２表示モードに切り替え可能に構成される。第１表示モードでは、第１情報処理装置から出力される画像である第１画像を第１表示装置及び第２表示装置にまたがって表示させ、第２表示モードでは、第２情報処理装置から出力される画像である第２画像を第１表示装置及び第２表示装置にまたがって表示させる。また、第１表示装置及び第２表示装置の少なくとも一方に存在する切替領域にポインティング位置が到達したことを検出する検出部と、第１表示モードのときに検出部によりポインティング位置が検出された場合、第１表示モードから第２表示モードに切り替える表示切替部と、を備える。これにより、第１表示装置及び第２表示装置にまたがって表示される画像を、ポインティング位置を切替領域に移動させることにより簡単に第１画像及び第２画像の間で切り替えることができる。
【０００９】
以下、本発明の種々の実施形態を例示する。以下に示す実施形態は互いに組み合わせ可能である。
【００１０】
好ましくは、前記切替領域は、第１表示装置及び第２表示装置の配置方向に直交する方向における第１表示装置又は第２表示装置の端部に存在する。
好ましくは、前記切替領域は、第１表示装置に存在する第１切替領域と、第２表示装置に存在する第２切替領域との少なくとも一方を備え、前記検出部により、前記ポインティング位置が第１切替領域に到達したことが検出された場合、前記表示切替部は、第１表示モードから第２表示モードに切り替える。
好ましくは、前記切替領域は、第１表示装置に存在する第１切替領域と、第２表示装置に存在する第２切替領域との少なくとも一方を備え、前記検出部により、前記ポインティング位置が第１切替領域に到達したことが検出された場合、前記表示切替部は、第２表示モードから第１表示モードに切り替える。
好ましくは、前記表示切替部は、第１表示装置及び第２表示装置に表示されている画像が第１画像であるか第２画像であるかについて、第１表示装置及び第２表示装置の少なくとも一方に表示する。
好ましくは、第１表示装置又は第２表示装置は、電子カルテを表示可能に構成される。
他の観点によれば、コンピュータを、第１情報処理装置、第２情報処理装置、第１表示装置、第２表示装置を備える表示システムを制御する制御部として機能させるプログラムであって、第１表示装置及び第２表示装置は、第１表示モード及び第２表示モードに切り替え可能に構成され、第１表示モードでは、第１情報処理装置から出力される画像である第１画像を第１表示装置及び第２表示装置にまたがって表示させ、第２表示モードでは、第２情報処理装置から出力される画像である第２画像を第１表示装置及び第２表示装置にまたがって表示させ、前記コンピュータを、第１表示装置及び第２表示装置の少なくとも一方に存在する切替領域にポインティング位置が到達したことを検出する検出部と、第１表示モードのときに前記検出部により前記ポインティング位置が検出された場合、第１表示モードから第２表示モードに切り替える表示切替部と、して機能させるプログラムが提供される。
【図面の簡単な説明】
【００１１】
【図１】本発明の第１実施形態に係る表示システム１０の構成を表す機能ブロック図である。
【図２】第１実施形態に係る表示システム１０の処理を表すフローチャートである。
【図３】第１画像が第１表示装置１及び第２表示装置２にまたがって表示（拡張表示）されている状態を表す模式図である。
【図４】ポインティング位置ＰＰが切替領域ＳＲに到達した状態を表す模式図である。
【図５】第２画像が第１表示装置１及び第２表示装置２にまたがって表示（拡張表示）されている状態を表す模式図である。
【図６】ポインティング位置ＰＰが切替領域ＳＲに到達した状態を表す模式図である。
【図７】本発明の第２実施形態に係る表示システム１０の処理を表すフローチャートである。
【図８】図８Ａは、第２実施形態に係る表示システム１０において、第１画像を第１表示装置及び第２表示装置にまたがって表示（拡張表示）させているときに、ポインティング位置ＰＰが第１切替領域に到達した状態を表す模式図である。図８Ｂは、第２実施形態に係る表示システム１０において、ポインティング位置ＰＰが第１切替領域に到達したことが検出された場合、表示切替部３３が第１表示モードから第２表示モードに切り替えた状態を表す模式図である。
【図９】図９Ａは、第２実施形態に係る表示システム１０において、第２画像を第１表示装置及び第２表示装置にまたがって表示（拡張表示）させているときに、ポインティング位置ＰＰが第２切替領域に到達した状態を表す模式図である。図９Ｂは、第２実施形態に係る表示システム１０において、ポインティング位置ＰＰが第２切替領域に到達したことが検出された場合、表示切替部４３が第２表示モードから第１表示モードに切り替えた状態を表す模式図である。
【図１０】本発明の第３実施形態に係る表示システム１０の処理を表すフローチャートである。
【図１１】図１１Ａは、第３実施形態に係る表示システム１０において、第２画像を第１表示装置及び第２表示装置にまたがって表示（拡張表示）させているときに、ポインティング位置ＰＰが第１切替領域に到達した状態を表す模式図である。図１１Ｂは、第２実施形態に係る表示システム１０において、ポインティング位置ＰＰが第１切替領域に到達したことが検出された場合、表示切替部４３が第２表示モードから第１表示モードに切り替えた状態を表す模式図である。
【図１２】図１２Ａは、第３実施形態に係る表示システム１０において、第１画像を第１表示装置及び第２表示装置にまたがって表示（拡張表示）させているときに、ポインティング位置ＰＰが第２切替領域に到達した状態を表す模式図である。図１２Ｂは、第３実施形態に係る表示システム１０において、ポインティング位置ＰＰが第２切替領域に到達したことが検出された場合、表示切替部３３が第１表示モードから第２表示モードに切り替えた状態を表す模式図である。
【図１３】本発明の第４実施形態に係る表示システム１０の構成を表す機能ブロック図である。
【図１４】本発明の第４実施形態に係る表示システム１０の処理を表すフローチャートである。
【発明を実施するための形態】
【００１２】
以下、図面を用いて本発明の実施形態について説明する。以下に示す実施形態中で示した各種特徴事項は、互いに組み合わせ可能である。
【００１３】
１．第１実施形態
１−１．表示システム１０
本発明の第１実施形態に係る表示システム１０について、図１を用いて説明する。図１に示すように、表示システム１０は、第１情報処理装置３、第２情報処理装置４、第１表示装置１、第２表示装置２を備える。
【００１４】
第１表示装置１及び第２表示装置２は、第１表示モード及び第２表示モードに切り替え可能に構成される。第１表示モードでは、第１情報処理装置３から出力される画像である第１画像を第１表示装置１及び第２表示装置２にまたがって表示（拡張表示）させる。第２表示モードでは、第２情報処理装置４から出力される画像である第２画像を第１表示装置１及び第２表示装置２にまたがって表示（拡張表示）させる。また、表示システム１０は、第１表示装置１及び第２表示装置２の少なくとも一方に存在する切替領域ＳＲにポインティング位置ＰＰが到達したことを検出する検出部３４（検出部４４）と、第１表示モードのときに検出部３４によりポインティング位置ＰＰが検出された場合、第１表示モードから第２表示モードに切り替える表示切替部３３（表示切替部４３）と、を備える。以下、具体的に説明する。
【００１５】
＜第１情報処理装置３＞
第１情報処理装置３は、通信部３１、表示制御部３２、表示切替部３３、検出部３４、画像生成部３５を備える。
【００１６】
通信部３１は、第１表示装置１及び第２表示装置２との間で種々の信号の通信をするものである。画像生成部３５は、種々の画像データを生成するものである。本実施形態では、第１情報処理装置３により生成された画像データが表す画像を第１画像と称し、第２情報処理装置４により生成された画像データが表す画像を第２画像と称する。ここで、画像データは静止画及び動画を表すデータを含む。表示制御部３２は、画像生成部３５により生成された画像を第１表示装置１及び第２表示装置２に表示可能に構成される。表示切替部３３は、第１表示装置１及び第２表示装置２に表示される画像を切り替えるものである。本実施形態では、表示切替部３３により、第１表示装置１及び第２表示装置２に表示される画像を、第１画像から第２画像に切り替えるための切替信号を生成する。検出部３４は、第１表示装置１及び第２表示装置２の少なくとも一方に存在する切替領域ＳＲにポインティング位置ＰＰ位置が到達したことを検出するものである。本実施形態では、切替領域ＳＲは、第１表示装置１及び第２表示装置２の配置方向に直交する方向における第１表示装置１及び第２表示装置２の少なくとも一方の端部に存在する。検出部３４の詳細については後述する。なお、本実施形態では、表示切替部３３は、第１表示モードのときに検出部３４によりポインティング位置ＰＰが検出された場合、第１表示モードから第２表示モードに切り替えるように構成される。
【００１７】
＜第２情報処理装置４＞
第２情報処理装置４は、通信部４１、表示制御部４２、表示切替部４３、検出部４４、画像生成部４５を備える。通信部４１、表示制御部４２、表示切替部４３、検出部４４、画像生成部４５の機能は、第１情報処理装置３の通信部３１、表示制御部３２、表示切替部３３、検出部３４、画像生成部３５と同様であるため、その説明を省略する。
【００１８】
＜第１表示装置１＞
第１表示装置１は、制御部１１、ビデオ信号通信部１２、切替信号通信部１３、表示部１５を備える。
【００１９】
制御部１１は、不図示の記憶部に記憶されたプログラムを読み出して種々の演算処理を実行するものであり、例えば、ＣＰＵ等により構成される。ビデオ信号通信部１２は、第１情報処理装置３及び第２情報処理装置４との間でビデオ信号を通信可能に構成される。ここで、ビデオ信号とは、画像を電気信号化したものであり、画像データの通信に利用される。本実施形態では、ビデオ信号通信部１２は、第１情報処理装置３の通信部３１及び第２情報処理装置４の通信部４１と通信可能に構成される。切替信号通信部１３は、第１情報処理装置３及び第２情報処理装置４との間で種々の切替信号を通信するものである。本実施形態では、切替信号通信部１３は、第１情報処理装置３の通信部３１及び第２情報処理装置４の通信部４１と通信可能に構成される。また、切替信号通信部１３を通して、第１表示装置１と、第１情報処理装置３及び第２情報処理装置４との間で切替信号が送受信される。
【００２０】
なお、ビデオ信号通信部１２及び切替信号通信部１３と通信部３１の接続は、有線又は無線により実現される。
【００２１】
表示部１５は、入力された画像データを画像として表示するものであり、例えば、液晶ディスプレイ、有機ＥＬディスプレイ、タッチパネルディスプレイ、電子ペーパーその他のディスプレイで構成される。
【００２２】
また、第１表示装置１には操作部５が接続される。本実施形態では、操作部５は、第１情報処理装置３及び第２情報処理装置４のうち、第１表示装置１及び第２表示装置２へ画像を出力する情報処理装置を操作可能に構成される。具体的には、第１表示装置１及び第２表示装置２に拡張表示される画像が第１画像であるときには第１情報処理装置３を操作可能に構成され、第１表示装置１及び第２表示装置２に拡張表示される画像が第２画像であるときには第２情報処理装置４を操作可能に構成される。また、操作部５は、第１表示装置１及び第２表示装置２上におけるポインティング位置ＰＰ（図３参照）を指示可能に構成される。
【００２３】
＜第２表示装置２＞
第２表示装置２は、制御部２１、ビデオ信号通信部２２、切替信号通信部２３、表示部２５を備える。制御部２１、ビデオ信号通信部２２、切替信号通信部２３、表示部２５の機能は、制御部１１、ビデオ信号通信部１２、切替信号通信部１３、表示部１５と同様であるため、その説明を省略する。
【００２４】
上記の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００２５】
１−２．第１実施形態のフローチャート
次に、図２〜図６を用いて、表示システム１０が実行する処理について説明する。
【００２６】
まず、Ｓ１において、表示システム１０を構成する第１表示装置１及び第２表示装置２は、第１情報処理装置３から出力された画像（第１画像）を拡張表示する。これは、図３の第１表示モードに対応する。ここで、本実施形態では、第１表示装置１及び第２表示装置２に画像が拡張表示されているときに、第１表示装置１及び第２表示装置２の配置方向に直行する方向に、切替領域ＳＲが設定される。図３の例では、第１表示装置１及び第２表示装置２の配置方向（横方向）に直行する方向である縦方向における第１表示装置１又は第２表示装置２の端部に、切替領域ＳＲが設定される。切替領域ＳＲを第１表示装置１及び第２表示装置２の配置方向（横方向）に直行する方向（縦方向）上に設定するのは、操作部５により、第１表示装置１及び第２表示装置２上でポインティング位置ＰＰを移動させる際に、不必要な切替処理を抑制するためである。なお、切替領域ＳＲを設定する位置は特に限定されず、例えば第１表示装置１又は第２表示装置２の横方向の端部等、任意の場所に設定することができる。また、切替領域ＳＲは仮想的な領域であり、第１画像又は第２画像上に設定されてもよく、ポインティング位置ＰＰが重なったときに強調表示するように構成してもよい。
【００２７】
次に、図４に示すように、操作部５を操作してポインティング位置ＰＰを切替領域ＳＲ内に移動させると、図２のＳ２において、検出部３４により、切替領域ＳＲ内にポインティング位置ＰＰが存在することが検出される。そして、検出部３４によりポインティング位置ＰＰが検出された場合、Ｓ３において第１表示装置１及び第２表示装置２に第２画像を拡張表示（第２表示モード）すべく、図４に示すように、第１情報処理装置３から第１表示装置１及び第２表示装置２に切替信号を送信する。ここで、切替信号は、第１表示装置１及び第２表示装置２に拡張表示される画像を第１画像から第２画像に切り替える、換言すると、表示システム１０を第１表示モードから第２表示モードに切り替えるための信号である。これにより、表示システム１０は第１表示モードから第２表示モードに切り替えられ、図５に示される第２表示モードに切り替わる。なお、図５は、Ｓ４において、ポインティング位置ＰＰが切替領域ＳＲの外に移動した状態を表す。これにより、第２表示モードが継続される。なお、検出部３４により、切替領域ＳＲ内にポインティング位置ＰＰが存在することが検出されない場合、切替領域ＳＲ内にポインティング位置ＰＰが存在することが検出されるまで待機する。
【００２８】
次に、図６に示すように、操作部５を操作してポインティング位置ＰＰを切替領域ＳＲ内に移動させると、図２のＳ５において、検出部４４により、切替領域ＳＲ内にポインティング位置ＰＰが存在することが検出される。そして、検出部４４によりポインティング位置ＰＰが検出された場合、再びＳ１に戻り、第１表示装置１及び第２表示装置２に第１画像を拡張表示（第１表示モード）すべく、図６に示すように、第２情報処理装置４から第１表示装置１及び第２表示装置２に切替信号を送信する。これにより、表示システム１０は第２表示モードから第１表示モードに切り替えられ、再び図３の状態となる。なお、検出部４４により、切替領域ＳＲ内にポインティング位置ＰＰが存在することが検出されない場合、切替領域ＳＲ内にポインティング位置ＰＰが存在することが検出されるまで待機する。
【００２９】
ここで、図３〜図６において、表示切替部３３又は表示切替部４３は、第１表示装置１及び第２表示装置２に拡張表示されている画像が第１画像であるか第２画像であるかについて、第１表示装置１及び第２表示装置２の少なくとも一方に表示するようにしてもよい。例えば、第１表示モードから第２表示モードに切り替わった後、第１表示装置及び第２表示装置２の少なくとも一方に、「第２画像」の文字を画面全体に所定時間表示させてもよい。逆に、第２表示モードから第１表示モードに切り替わった後、第１表示装置１及び第２表示装置２の少なくとも一方に、「第１画像」の文字を画面全体に所定時間表示させてもよい。また、操作部５による予め定められた操作により、第１表示装置１及び第２表示装置２の少なくとも一方にかかる情報を表示させてもよい。また、第１表示装置１又は第２表示装置２は、電子カルテを表示可能に構成されてもよい。
【００３０】
以上説明したように、第１実施形態に係る表示システム１０は、第１表示モードのときに検出部３４によりポインティング位置ＰＰが検出された場合、第１表示モードから第２表示モードに切り替える表示切替部３３を備えることにより、第１表示装置１及び第２表示装置２にまたがって表示される（拡張表示される）画像を、ポインティング位置ＰＰを切替領域ＳＲに移動させることにより、簡単に第１画像及び第２画像の間で切り替えることができる。
【００３１】
２．第２実施形態
以下、図７〜図９を用いて、本発明の第２実施形態に係る表示システム１０について説明する。第２実施形態に係る表示システム１０では、切替領域ＳＲは、第１表示装置１に存在する第１切替領域ＳＲ１と、第２表示装置に存在する第２切替領域ＳＲ２との少なくとも一方を備える。また、検出部３４（検出部４４）により、ポインティング位置ＰＰが第１切替領域ＳＲ１に到達したことが検出された場合、表示切替部３３（表示切替部４３）は、第１表示モードから第２表示モードに切り替えるように構成される。
【００３２】
図７に示すように、まず、Ｓ１において、表示システム１０を構成する第１表示装置１及び第２表示装置２は、第１情報処理装置３から出力された画像（第１画像）を拡張表示する。これは、図８Ａの第１表示モードに対応する。
【００３３】
次に、図８Ａに示すように、操作部５を操作してポインティング位置ＰＰを第１切替領域ＳＲ１内に移動させると、図７のＳ２において、検出部３４により、第１切替領域ＳＲ１内にポインティング位置ＰＰが存在することが検出される。そして、検出部３４によりポインティング位置ＰＰが検出された場合、Ｓ３において第１表示装置１及び第２表示装置２に第２画像を拡張表示（第２表示モード）すべく、第１情報処理装置３から第１表示装置１及び第２表示装置２に切替信号を送信する。これにより、表示システム１０は第１表示モードから第２表示モードに切り替えられ、図８Ｂに示される第２表示モードに切り替わる。なお、図８Ｂは、Ｓ４において、ポインティング位置ＰＰが切替領域ＳＲの外に移動した状態を表す。これにより、第２表示モードが継続される。なお、検出部３４により、第１切替領域ＳＲ１内にポインティング位置ＰＰが存在することが検出されない場合、第１切替領域ＳＲ１内にポインティング位置ＰＰが存在することが検出されるまで待機する。
【００３４】
次に、図９Ａに示すように、操作部５を操作してポインティング位置ＰＰを第２切替領域ＳＲ２内に移動させると、図７のＳ５において、検出部４４により、第２切替領域ＳＲ２内にポインティング位置ＰＰが存在することが検出される。そして、検出部４４によりポインティング位置ＰＰが検出された場合、再びＳ１に戻り、第１表示装置１及び第２表示装置２に第１画像を拡張表示（第１表示モード）すべく、第２情報処理装置４から第１表示装置１及び第２表示装置２に切替信号を送信する。これにより、表示システム１０は第２表示モードから第１表示モードに切り替えられ、図９Ｂの状態となる。なお、検出部４４により、第２切替領域ＳＲ２内にポインティング位置ＰＰが存在することが検出されない場合、第２切替領域ＳＲ２内にポインティング位置ＰＰが存在することが検出されるまで待機する。
【００３５】
以上説明したように、第２実施形態に係る表示システム１０では、第１表示装置１及び第２表示装置２に第１画像が拡張表示（第１表示モード）されているときに、第１切替領域ＳＲ１にポインティング位置ＰＰが到達した場合に、第１表示モードから第２表示モードへの切り替えが実行される。また、第１表示装置１及び第２表示装置２に第２画像が拡張表示（第２表示モード）されているときに、第２切替領域ＳＲ２にポインティング位置ＰＰが到達した場合に、第２表示モードから第１表示モードへの切り替えが実行される。
【００３６】
換言すると、第１表示装置１及び第２表示装置２に拡張表示される画像が第１画像である場合、第１画像を生成する第１情報処理装置３に近い位置に配置される第１表示装置１に設けられる第１切替領域ＳＲ１のみがポインティング位置ＰＰに反応する。また、第１表示装置１及び第２表示装置２に拡張表示される画像が第２画像である場合、第２画像を生成する第２情報処理装置４に近い位置に配置される第２表示装置２に設けられる第２切替領域ＳＲ２のみがポインティング位置ＰＰに反応する。これにより、第１表示モードのときに、第２切替領域ＳＲ２にポインティング位置ＰＰが到達した場合には、第１表示モードから第２表示モードへの切り替えが実行されず、第２表示モードのときに、第１切替領域ＳＲ１にポインティング位置ＰＰが到達した場合には、第２表示モードから第１表示モードへの切り替えが実行されないように制御することができる。
【００３７】
したがって、第１表示装置１及び第２表示装置２に拡張表示されている画像が第１画像であるか第２画像であるかについて、第１表示装置１及び第２表示装置２の少なくとも一方に表示することなく、ユーザーは第１表示装置１及び第２表示装置２に拡張表示される画像が第１画像（第１表示モード）であるか第２画像（第２表示モード）であるかについて、直感的に把握することができる。
【００３８】
３．第３実施形態
以下、図１０〜図１２を用いて、本発明の第３実施形態に係る表示システム１０について説明する。第２実施形態に係る表示システム１０では、切替領域ＳＲは、第１表示装置１に存在する第１切替領域ＳＲ１と、第２表示装置に存在する第２切替領域ＳＲ２との少なくとも一方を備える。また、検出部４４（検出部３４）により、ポインティング位置ＰＰが第１切替領域ＳＲ１に到達したことが検出された場合、表示切替部４３（表示切替部３３）は、第２表示モードから第１表示モードに切り替えるように構成される。
【００３９】
図１０に示すように、まず、Ｓ１において、表示システム１０を構成する第１表示装置１及び第２表示装置２は、第２情報処理装置４から出力された画像（第２画像）を拡張表示する。これは、図１１Ａの第２表示モードに対応する。
【００４０】
次に、図１１Ａに示すように、操作部５を操作してポインティング位置ＰＰを第１切替領域ＳＲ１内に移動させると、図１０のＳ２において、検出部４４により、第１切替領域ＳＲ１内にポインティング位置ＰＰが存在することが検出される。そして、検出部４４によりポインティング位置ＰＰが検出された場合、Ｓ３において第１表示装置１及び第２表示装置２に第１画像を拡張表示（第１表示モード）すべく、第２情報処理装置４から第１表示装置１及び第２表示装置２に切替信号を送信する。これにより、表示システム１０は第２表示モードから第１表示モードに切り替えられ、図１１Ｂに示される第１表示モードに切り替わる。なお、図１１Ｂは、Ｓ４において、ポインティング位置ＰＰが切替領域ＳＲの外に移動した状態を表す。これにより、第１表示モードが継続される。図１１Ｂの状態となる。なお、検出部４４により、第１切替領域ＳＲ１内にポインティング位置ＰＰが存在することが検出されない場合、第１切替領域ＳＲ１内にポインティング位置ＰＰが存在することが検出されるまで待機する。
【００４１】
次に、図１２Ａに示すように、操作部５を操作してポインティング位置ＰＰを第２切替領域ＳＲ２内に移動させると、図１０のＳ４において、検出部３４により、第２切替領域ＳＲ２内にポインティング位置ＰＰが存在することが検出される。そして、検出部３４によりポインティング位置ＰＰが検出された場合、再びＳ１に戻り、第１表示装置１及び第２表示装置２に第２画像を拡張表示（第２表示モード）すべく、第１情報処理装置３から第１表示装置１及び第２表示装置２に切替信号を送信する。これにより、表示システム１０は第１表示モードから第２表示モードに切り替えられ、図１２Ｂの状態となる。なお、検出部３４により、第２切替領域ＳＲ２内にポインティング位置ＰＰが存在することが検出されない場合、第２切替領域ＳＲ２内にポインティング位置ＰＰが存在することが検出されるまで待機する。
【００４２】
以上説明したように、第３実施形態に係る表示システム１０では、第１表示装置１及び第２表示装置２に第２画像が拡張表示（第２表示モード）されているときに、第１切替領域ＳＲ１にポインティング位置ＰＰが到達した場合に、第２表示モードから第１表示モードへの切り替えが実行される。また、第１表示装置１及び第２表示装置２に第１画像が拡張表示（第１表示モード）されているときに、第２切替領域ＳＲ２にポインティング位置ＰＰが到達した場合に、第１表示モードから第２表示モードへの切り替えが実行される。
【００４３】
換言すると、第１表示装置１及び第２表示装置２に拡張表示される画像が第２画像である場合、第１画像を生成する第１情報処理装置３に近い位置に配置される第１表示装置１に設けられる第１切替領域ＳＲ１にポインティング位置ＰＰが到達すると、第１画像を表示（第１表示モード）することができる。また、第１表示装置１及び第２表示装置２に拡張表示される画像が第１画像である場合、第２画像を生成する第２情報処理装置４に近い位置に配置される第２表示装置２に設けられる第２切替領域ＳＲ２にポインティング位置ＰＰが到達すると、第２画像を表示（第２表示モード）することができる。これにより、第２表示モードのときに、第１切替領域ＳＲ１にポインティング位置ＰＰが到達した場合には、第２表示モードから第１表示モードへの切り替えが実行され、第１表示モードのときに、第２切替領域ＳＲ２にポインティング位置ＰＰが到達した場合には、第１表示モードから第２表示モードへの切り替えが実行されるように制御することができる。
【００４４】
したがって、第１表示装置１及び第２表示装置２に拡張表示されている画像が第１画像であるか第２画像であるかについて、第１表示装置１及び第２表示装置２の少なくとも一方に表示することなく、ユーザーは第１表示装置１及び第２表示装置２に拡張表示される画像が第１画像（第１表示モード）であるか第２画像（第２表示モード）であるかについて、直感的に把握することができる。
【００４５】
４．第４実施形態
４−１．表示システム１０
以下、図１３及び図１４を用いて、本発明の第４実施形態に係る表示システム１０について説明する。図１３は、本発明の第４実施形態に係る表示システム１０の機能ブロック図である。第４実施形態では、第１表示装置１及び第２表示装置２は、切替信号転送部１４及び切替信号転送部２４を備える。切替信号転送部１４は、第２情報処理装置４から入力された切替信号を第１情報処理装置３に転送するか、又は、第２情報処理装置４から切替信号が入力されると、切替信号が入力されたことを表す信号を第１情報処理装置３に出力可能に構成される。切替信号転送部２４は、第１情報処理装置３から入力された切替信号を第２情報処理装置４に転送するか、又は、第１情報処理装置３から切替信号が入力されると、切替信号が入力されたことを表す信号を第２情報処理装置４に出力可能に構成される。
【００４６】
本実施形態では、第２表示装置２の切替信号通信部２３は、第１情報処理装置３の通信部３１と通信可能に構成されるが、第２情報処理装置４の通信部４１とは通信できないものである。これは例えば、切替信号通信部２３がＵＳＢポートの場合、ＵＳＢポートが１つしかなく、１つの情報処理装置としか接続できない場合を想定している。
【００４７】
４−２．第１実施形態のフローチャート
次に、図１４を用いて、表示システム１０が実行する処理について説明する。
【００４８】
まず、Ｓ１において、表示システム１０を構成する第１表示装置１及び第２表示装置２は、第１情報処理装置３から出力された画像（第１画像）を拡張表示（第１表示モード）する。
【００４９】
次に、操作部５を操作してポインティング位置ＰＰを切替領域ＳＲ内に移動させると、Ｓ２において、検出部３４により、切替領域ＳＲ内にポインティング位置ＰＰが存在することが検出される。そして、検出部３４によりポインティング位置ＰＰが検出された場合、第１切替処理の実行が開始される。なお、検出部３４により、切替領域ＳＲ内にポインティング位置ＰＰが存在することが検出されない場合、Ｓ１に戻る。
【００５０】
次に、Ｓ３において、第１情報処理装置３から第１表示装置１及び第２表示装置２に切替信号を送信する。ここで、かかる切替信号は、第１表示装置１又は第２表示装置２に表示される画像を第２画像に切り替えるための信号である。具体的には、かかる切替信号は、第１表示装置１及び第２表示装置２に対し、第２情報処理装置４の通信部４１との通信を確立するための命令を指示するものである。
【００５１】
そして、Ｓ４において、第１表示装置１及び第２表示装置２が切替信号を受信すると、第１表示装置１及び第２表示装置２は、第２情報処理装置４から出力された第２画像を拡張表示（第２表示モード）する。
【００５２】
このように、Ｓ３及びＳ４における処理、すなわち、第１表示装置１及び第２表示装置２に拡張表示される画像を、第１情報処理装置３から第２情報処理装置４へ切り替える切替処理が、第１切替処理である。本実施形態では、第１切替処理において、第１情報処理装置３から第１表示装置１及び第２表示装置２に対して切替信号を出力することにより、第１切替処理が実行される。
【００５３】
次に、操作部５を操作してポインティング位置ＰＰを切替領域ＳＲ内に移動させると、Ｓ５において、検出部４４により、切替領域ＳＲ内にポインティング位置ＰＰが存在することが検出される。そして、検出部４４によりポインティング位置ＰＰが検出された場合、第２切替処理の実行が開始される。なお、検出部４４により、切替領域ＳＲ内にポインティング位置ＰＰが存在することが検出されない場合、Ｓ４に戻る。
【００５４】
次に、Ｓ６において、第２情報処理装置４から第１表示装置１に切替信号を送信する。ここで、かかる切替信号は、第１表示装置１に表示される画像を第１画像に切り替えるための信号である。このとき、第２情報処理装置４の通信部４１と第２表示装置２の切替信号通信部２３は接続されていないので、第２情報処理装置４から第２表示装置２に切替信号を送信することはできない。これにより、第１表示装置１に第１画像が表示され、第２表示装置２に第２画像が表示される状態となる。
【００５５】
次に、Ｓ７において、第１情報処理装置３が第１表示装置１の画像の切り替わりを検出する。本実施形態では、第１情報処理装置３は、第１表示装置１のビデオ信号通信部１２を介して、第１表示装置１に表示される画像が切り替わったことを検出する。
【００５６】
次に、Ｓ８において、第１情報処理装置３から第２表示装置２に切替信号を送信する。ここで、かかる切替信号は、第２表示装置２に表示される画像を第１画像に切り替えるための信号である。このように、本実施形態では、第１表示装置１に表示される画像が切り替わった場合、第１情報処理装置３は、第２表示装置２に対して第１情報処理装置３から出力される画像（第１画像）を表示するように、切替信号を出力する。
【００５７】
ここで、Ｓ７における態様に代えて、第１表示装置１の切替信号転送部１４を用いることにより、第２情報処理装置４から信号が出力されたことを第１情報処理装置３が検出するようにしてもよい。具体的には、第１表示装置１の切替信号転送部１４は、第２情報処理装置４から入力された切替信号を第１情報処理装置３に転送するか、又は、第２情報処理装置４から切替信号が入力されると、切替信号が入力されたことを表す信号を第１情報処理装置３に出力する。そして、第１情報処理装置３は、切替信号転送部１４から出力された信号を受信すると、切替信号を第２表示装置２に出力するように構成することができる。
【００５８】
そして、Ｓ９において、第２表示装置２が切替信号を受信すると、第２表示装置２は、第１情報処理装置３の画像（第１画像）を表示する。これにより、再び第１表示モードに切り替わる。このように、Ｓ６〜Ｓ９における処理、すなわち、第１表示装置１及び第２表示装置２に拡張表示される画像を、第２情報処理装置４から第１情報処理装置３へ切り替える切替処理が、第２切替処理である。本実施形態では、第２情報処理装置４が第１表示装置１に切替信号を出力し、且つ、第１表示装置１が第２情報処理装置４から切替信号を受信した後、第１情報処理装置３が第２表示装置２に切替信号を出力することにより第２切替処理が実行される。
【００５９】
以上説明したように、第４実施形態に係る表示システム１０では、第２情報処理装置４は、第１表示装置１に表示される画像を切り替える切替信号を、第１表示装置１に出力可能に構成される。そして、第１情報処理装置３は、切替信号に応じて、第２表示装置２に表示される画像を切り替える切替信号を、第２表示装置２に出力可能に構成される。これにより、第２表示装置２の切替信号通信部２３と第２情報処理装置４の通信部４１とが切替信号を通信可能でない場合でも、複数の表示装置を制御することができる。
【００６０】
以上説明したように、第４実施形態に係る表示システム１０は、第１表示装置１及び第２表示装置２の切替信号通信部１３及び切替信号通信部２３がそれぞれ１つのポートしか備えず、第１情報処理装置３又は第２情報処理装置４の一方としか通信可能でない場合であっても、複数の表示装置を制御することができる。
【００６１】
４．その他
以上、種々の実施形態について説明したが、本発明はこれらに限定されない。
【００６２】
例えば、第１情報処理装置３又は第２情報処理装置４の各構成要素は、第１情報処理装置３又は第２情報処理装置４の製造時に予め組み込まれてもよく、第１情報処理装置３又は第２情報処理装置４の出荷後にインターネットを介してダウンロード可能なアプリケーションにより実現してもよい。
【００６３】
また、本発明は、以下の態様でも実現可能である。
コンピュータを、第１情報処理装置、第２情報処理装置、第１表示装置、第２表示装置を備える表示システムを制御する制御部として機能させるプログラムであって、
第１表示装置及び第２表示装置は、第１表示モード及び第２表示モードに切り替え可能に構成され、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
前記コンピュータを、
第１表示装置及び第２表示装置の少なくとも一方に存在する切替領域にポインティング位置が到達したことを検出する検出部と、
第１表示モードのときに前記検出部により前記ポインティング位置が検出された場合、第１表示モードから第２表示モードに切り替える表示切替部と、
して機能させるプログラム。
【００６４】
さらに、上述のプログラムを格納する、コンピュータ読み取り可能な非一時的な記録媒体として提供してもよい。
【符号の説明】
【００６５】
１      ：第１表示装置
２      ：第２表示装置
３      ：第１情報処理装置
４      ：第２情報処理装置
５      ：操作部
１０    ：表示システム
１１    ：制御部
１２    ：ビデオ信号通信部
１３    ：切替信号通信部
１４    ：切替信号転送部
１５    ：表示部
２１    ：制御部
２２    ：ビデオ信号通信部
２３    ：切替信号通信部
２４    ：切替信号転送部
２５    ：表示部
３１    ：通信部
３２    ：表示制御部
３３    ：表示切替部
３４    ：検出部
３５    ：画像生成部
４１    ：通信部
４２    ：表示制御部
４３    ：表示切替部
４４    ：検出部
４５    ：画像生成部
ＰＰ    ：ポインティング位置
ＳＲ    ：切替領域
ＳＲ１  ：第１切替領域
ＳＲ２  ：第２切替領域
【図１】
2019174623.tif 000003
【図２】
2019174623.tif 000004
【図３】
2019174623.tif 000005
【図４】
2019174623.tif 000006
【図５】
2019174623.tif 000007
【図６】
2019174623.tif 000008
【図７】
2019174623.tif 000009
【図８】
2019174623.tif 000010
【図９】
2019174623.tif 000011
【図１０】
2019174623.tif 000012
【図１１】
2019174623.tif 000013
【図１２】
2019174623.tif 000014
【図１３】
2019174623.tif 000015
【図１４】
2019174623.tif 000016
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
第１情報処理装置、第２情報処理装置、第１表示装置、第２表示装置を備え、
第１表示装置及び第２表示装置は、第１表示モード及び第２表示モードに切り替え可能に構成され、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
ポインティング位置が切替領域外の領域から前記切替領域上に到達しているか否かを検出する検出部と、
第１表示モードのときに前記検出部により前記ポインティング位置が前記切替領域上に到達したことが検出された場合、第１表示モードから第２表示モードに切り替える表示切替部と、
を備え、
前記切替領域は、第１表示装置の表示領域及び第２表示装置の表示領域の少なくとも一方に存在する、表示システム。
【請求項２】
第１表示装置の前記表示領域及び第２表示装置の前記表示領域は、それぞれ、矩形状であり、
前記切替領域は、第１表示装置の前記表示領域の上端部又は下端部に存在する第１切替領域と、第２表示装置の前記表示領域の上端部又は下端部に存在する第２切替領域とを有する、
請求項１に記載の表示システム。
【請求項３】
第１切替領域は、第１表示装置の前記表示領域の右端部から左端部にかけて延びており、
第２切替領域は、第２表示装置の前記表示領域の右端部から左端部にかけて延びている、
請求項２に記載の表示システム。
【請求項４】
前記検出部により、前記ポインティング位置が第１切替領域上に到達したことが検出された場合、前記表示切替部は、第１表示モードから第２表示モードに切り替える、
請求項２又は請求項３に記載の表示システム。
【請求項５】
前記検出部により、前記ポインティング位置が第１切替領域上に到達したことが検出された場合、前記表示切替部は、第２表示モードから第１表示モードに切り替える、
請求項２又は請求項３に記載の表示システム。
【請求項６】
前記表示切替部は、第１及び第２情報処理装置のそれぞれに設けられている、請求項１〜請求項５の何れか１つに記載の表示システム。
【請求項７】
前記表示切替部は、第１表示装置及び第２表示装置に表示されている画像が第１画像であるか第２画像であるかについて、第１表示装置及び第２表示装置の少なくとも一方に表示する、
請求項１〜請求項５の何れか１つに記載の表示システム。
【請求項８】
第１表示装置又は第２表示装置は、電子カルテを表示可能に構成される、
請求項１〜請求項６の何れか１つに記載の表示システム。
【請求項９】
コンピュータを、第１情報処理装置、第２情報処理装置、第１表示装置、第２表示装置を備える表示システムを制御する制御部として機能させるプログラムであって、
第１表示装置及び第２表示装置は、第１表示モード及び第２表示モードに切り替え可能に構成され、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
前記コンピュータに、
ポインティング位置が切替領域外の領域から前記切替領域上に到達しているか否かを検出する検出ステップと、
第１表示モードのときに前記ポインティング位置が前記切替領域上に到達したことが検出された場合、第１表示モードから第２表示モードに切り替える表示切替ステップと、
を実行させるプログラム。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
第１情報処理装置、第２情報処理装置、第１表示装置、第２表示装置を備え、
第１表示装置及び第２表示装置は、電子カルテを表示する表示装置であり、
第１表示装置及び第２表示装置は、第１表示モード及び第２表示モードに切り替え可能に構成され、
第１表示装置の前記表示領域及び第２表示装置の前記表示領域は、それぞれ、矩形状であり、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、
ポインティング位置が切替領域外の領域から前記切替領域上に到達しているか否かを検出する検出部と、
第１表示モードのときに前記検出部により前記ポインティング位置が前記切替領域上に到達したことが検出された場合、第１表示モードから第２表示モードに切り替える表示切替部と、
を備え、
前記切替領域は、第１表示装置の前記表示領域の上端部又は下端部に存在する第１切替領域と、第２表示装置の前記表示領域の上端部又は下端部に存在する第２切替領域とを有し、
第１切替領域は、第１表示装置の前記表示領域の右端部から左端部にかけて延びており、
第２切替領域は、第２表示装置の前記表示領域の右端部から左端部にかけて延びている、表示システム。
【請求項２】
前記検出部により、前記ポインティング位置が第１切替領域上に到達したことが検出された場合、前記表示切替部は、第１表示モードから第２表示モードに切り替える、
請求項１に記載の表示システム。
【請求項３】
前記検出部により、前記ポインティング位置が第１切替領域上に到達したことが検出された場合、前記表示切替部は、第２表示モードから第１表示モードに切り替える、
請求項１に記載の表示システム。
【請求項４】
前記表示切替部は、第１及び第２情報処理装置のそれぞれに設けられている、請求項１〜請求項３の何れか１つに記載の表示システム。
【請求項５】
前記表示切替部は、第１表示装置及び第２表示装置に表示されている画像が第１画像であるか第２画像であるかについて、第１表示装置及び第２表示装置の少なくとも一方に表示する、
請求項１〜請求項４の何れか１つに記載の表示システム。
【請求項６】
コンピュータを、第１情報処理装置、第２情報処理装置、第１表示装置、第２表示装置を備える表示システムを制御する制御部として機能させるプログラムであって、
第１表示装置及び第２表示装置は、電子カルテを表示する表示装置であり、
第１表示装置及び第２表示装置は、第１表示モード及び第２表示モードに切り替え可能に構成され、
第１表示装置の前記表示領域及び第２表示装置の前記表示領域は、それぞれ、矩形状であり、
第１表示モードでは、第１情報処理装置から出力される画像である第１画像を第１表示装置及び第２表示装置にまたがって表示させ、
第２表示モードでは、第２情報処理装置から出力される画像である第２画像を第１表示装置及び第２表示装置にまたがって表示させ、  前記コンピュータに、
ポインティング位置が切替領域外の領域から前記切替領域上に到達しているか否かを検出する検出ステップと、
第１表示モードのときに前記ポインティング位置が前記切替領域上に到達したことが検出された場合、第１表示モードから第２表示モードに切り替える表示切替ステップと、
を実行させ、
前記切替領域は、第１表示装置の前記表示領域の上端部又は下端部に存在する第１切替領域と、第２表示装置の前記表示領域の上端部又は下端部に存在する第２切替領域とを有し、
第１切替領域は、第１表示装置の前記表示領域の右端部から左端部にかけて延びており、
第２切替領域は、第２表示装置の前記表示領域の右端部から左端部にかけて延びている、プログラム。